(57)【要約】【課題】多様な噛合いピッチを実現してスプロケットの噛み合い時に生じがちな周期的な騒音をランダム化して大幅に低減できるロッカージョイントピン型サイレントチェーンを提供すること。【解決手段】前後一対の噛合い部１１１と前後一対のピン孔１１２を備えた複数のリンクプレート１１０がロッカーピン１２１とジョイントピン１２２からなるロッカージョイントピン１２０で指組み状にチェーン長手方向に連結編成されて一定の噛合いピッチを有するスプロケットＳに噛合うロッカージョイントピン型サイレントチェーン１００において、噛合い部の噛合い形状を異ならしめた複数のリンクプレート１１０がチェーン長手方向に不規則に配置されているとともに、ロッカーピン１２１のピン厚みとジョイントピン１２２のピン厚みがチェーン長手方向に隣合うリンクプレート１１０を貫通するピン孔１１２に不規則な大小関係で配置されていること。【選択図】 図１
2009127648.tif 000002
【特許請求の範囲】
【請求項１】
前後一対の噛合い部と前後一対のピン孔を備えた複数のリンクプレートがロッカーピンとジョイントピンからなるロッカージョイントピンで指組み状にチェーン長手方向に連結編成されて一定の噛合いピッチを有するスプロケットに噛合うロッカージョイントピン型サイレントチェーンにおいて、
前記噛合い部の噛合い形状を異ならしめた複数のリンクプレートが、チェーン長手方向に不規則に配置されているとともに、
前記ロッカーピンのピン厚みとジョイントピンのピン厚みが、チェーン長手方向に隣合うリンクプレートを貫通するピン孔に不規則な大小関係で配置されていることを特徴とするロッカージョイントピン型サイレントチェーン。
【発明の詳細な説明】
【技術分野】
【０００１】
本発明は、自動車などの動力伝達機構に用いるサイレントチェーンに関するものであって、特に、スプロケットとの噛合い周期音を低減したロッカージョイントピン型サイレントチェーンに関するものである。
【背景技術】
【０００２】
従来、スプロケット歯との噛み合い時に生じる周期的な騒音を低減するロッカージョイントピン型サイレントチェーンとして、各々一対の歯部およびピン孔を有する多数のリンクプレートを該ピン孔内に装入した連結ピンにより連結するとともに最外側リンクプレートの外側にガイドリンクを配置し、内側フランク面の突出量が異なるランダムリンクが混在することにより構成されているリンクプレートを用いたもの（例えば、特許文献１参照）がある。
また、前後一対の噛合い部と前後一対のピン孔を備えた１以上のリンクプレートによりリンクモジュールが構成され、隣合うリンクモジュールの各リンクプレートのピン孔に不規則に配列された第１及び第２のロッカージョイントピンを挿通して前記リンクモジュールを無端状に編成し、前記第１のロッカージョイントピンが、サイレントチェーンの直線状態における長ピンと短ピンの接触点間のピッチ方向で第１の厚みを有する長ピンと第１の厚みを有する短ピンの組合せよりなり、前記第２のロッカージョイントピンが、サイレントチェーンの直線状態における長ピンと短ピンの接触点間のピッチ方向で第２の厚みを有する長ピンと第２の厚みを有する短ピンの組合せよりなるもの（例えば、特許文献２参照）がある。
【特許文献１】特開２０００−１３０５１８号公報（第１欄、図１２）
【特許文献２】特開２００１−３９９６号公報（第１頁、第１図）
【発明の開示】
【発明が解決しようとする課題】
【０００３】
ところが、前者のロッカージョイントピン型サイレントチェーンでは、噛合周期をずらしたパターンを多くしようとすると、その分の異なるリンクプレートが必要となり、ランダムチェーンの組み立てが困難になるという問題があった。
また、後者のロッカージョイントピン型サイレントチェーンでは、第１の厚みを有する長ピンと第１の厚みを有する短ピンの組合せによる第１のロッカージョイントピンと第２の厚みを有する長ピンと第２の厚みを有する短ピンの組合せによる第２のロッカージョイントピンとをチェーン長手方向に不規則に配置しているため、チェーンピッチが３種類に止まり、スプロケットの噛合い時に生じる周期音を充分に防止することができないという問題があった。
【０００４】
そこで、本発明では、ロッカーピンのピン厚みとジョイントピンのピン厚みとを不規則に配置することと、リンクプレートの噛合い部形状を隣合うリンクモジュール毎に不規則に配置することの組み合わせに着目して、上述したような従来の課題を解決することにした。
すなわち、本発明の目的は、多様な噛合いピッチを実現してスプロケットの噛み合い時に生じがちな周期的な騒音をランダム化して大幅に低減できるロッカージョイントピン型サイレントチェーンを提供することである。
【課題を解決するための手段】
【０００５】
本発明は、前後一対の噛合い部と前後一対のピン孔を備えた複数のリンクプレートがロッカーピンとジョイントピンからなるロッカージョイントピンで指組み状にチェーン長手方向に連結編成されて一定の噛合いピッチを有するスプロケットに噛合うロッカージョイントピン型サイレントチェーンにおいて、前記噛合い部の噛合い形状を異ならしめた複数のリンクプレートがチェーン長手方向に不規則に配置されているとともに、前記ロッカーピンのピン厚みとジョイントピンのピン厚みがチェーン長手方向に隣合うリンクプレートを貫通するピン孔に不規則な大小関係で配置されていることによって、前記課題を解決したものである。
【発明の効果】
【０００６】
本発明のロッカージョイントピン型サイレントチェーンは、前後一対の噛合い部と前後一対のピン孔を備えた複数のリンクプレートがロッカーピンとジョイントピンからなるロッカージョイントピンで指組み状にチェーン長手方向に連結編成されていることにより、一定の噛合いピッチを有するスプロケットに噛合うことができるばかりでなく、特有のチェーン構成により、以下のような効果を奏することができる。
【０００７】
すなわち、本発明のロッカージョイントピン型サイレントチェーンは、噛合い部の噛合い形状を異ならしめた複数のリンクプレートがチェーン長手方向に不規則に配置されているとともに、ロッカーピンのピン厚みとジョイントピンのピン厚みがチェーン長手方向に隣合うリンクプレートを貫通するピン孔に不規則な大小関係で配置されていることによって、サイレントチェーンとしての多様な噛合いピッチ、すなわち、噛合いタイミングを実現するので、一定の噛合いピッチを有するスプロケットの噛み合い時に生じがちな周期的な騒音をランダム化して大幅に低減することができる。
【発明を実施するための最良の形態】
【０００８】
本発明は、前後一対の噛合い部と前後一対のピン孔を備えた複数のリンクプレートがロッカーピンとジョイントピンからなるロッカージョイントピンで指組み状にチェーン長手方向に連結編成されて一定の噛合いピッチを有するスプロケットに噛合うロッカージョイントピン型サイレントチェーンにおいて、前記噛合い部の噛合い形状を異ならしめた複数のリンクプレートがチェーン長手方向に不規則に配置されているとともに、前記ロッカーピンのピン厚みとジョイントピンのピン厚みがチェーン長手方向に隣合うリンクプレートを貫通するピン孔に不規則な大小関係で配置されており、多様な噛合いピッチ、すなわち、噛合いタイミングを実現してスプロケットの噛み合い時に生じる周期的な騒音をランダム化して大幅に低減するものであれば、その具体的な実施の態様は如何なるものであっても何ら構わない。
【０００９】
たとえば、本発明で用いるリンクプレートは、前後一対の噛合い部に形成された外側フランクのみで噛み合って着座する、所謂、外股当たりの外股着座タイプのもの、または、前後一対の噛合い部に形成された内側フランクのみで噛み合って着座する、所謂、内股当たりの内股着座タイプのもの、更に、前後一対の噛合い部に形成された内側フランクで噛み合って前後一対の噛合い部に形成された外側フランクで着座する、所謂、内股当たりの外股着座タイプのものの、いずれであっても良い。
【００１０】
また、本発明で用いるリンクプレートの噛合い部については、直線状に形成されたフランク、曲線状に形成されたフランク、直線と曲線の組み合わせで形成されたフランクのいずれであっても良い。
【００１１】
さらに、本発明で用いるリンクプレートの噛合い部には、シェービング加工、或いは、ファイン・ブランキング加工を施すことが好ましく、例えば、シェービング加工を施した剪断面長さがリンクプレートの板厚の約７０％以上となっている場合には、衝撃騒音を大幅に低減するとともにサイレントチェーン自体の耐久性を長期にわたって持続することができるのでより好ましい。
【実施例】
【００１２】
以下、図面を参照して、本発明によるロッカージョイントピン型サイレントチェーンの実施例を説明する。
まず、図１は、本発明の一実施例であるロッカージョイントピン型サイレントチェーンの使用態様図であり、図２の（Ａ）、（Ｂ）は、図１のロッカージョイントピン型サイレントチェーンで用いたリンクプレートの拡大図であり、図３は、図１のロッカージョイントピン型サイレントチェーンがスプロケットと噛み合う状態を拡大視した図であり、図４の（Ａ）、（Ｂ）、（Ｃ）は、ロッカーピンとジョイントピンとの組み合わせパターンを示す説明図である。
【００１３】
本発明の一実施例であるロッカージョイントピン型サイレントチェーン１００は、自動車用トランスファー機構に用いられるものであって、一定の噛合いピッチを有するインボリュート歯を備えたスプロケットＳに噛合って動力伝達するように構成されている。
すなわち、図１及び図３に示すように、本実施例のロッカージョイントピン型サイレントチェーン１００は、前後一対の噛合い部１１１と前後一対のピン孔１１２を備えたリンクプレート１１０がロッカーピン１２１とジョイントピン１２２からなるロッカージョイントピン１２０で指組み状にチェーン長手方向に連結編成されて一定の噛合いピッチを有するスプロケットＳに噛合うようになっている。
ここで、図３における矢印は、チェーン進行方向とスプロケット回転方向をそれぞれ示している。
【００１４】
なお、図１及び図３に示していないが、本実施例のロッカージョイントピン型サイレントチェーン１００は、指組み状にチェーン長手方向に連結編成されたリンクプレート１１０の両外側には、ガイドプレートが存在しており、このガイドプレートにロッカーピン１２１よりも長いジョイントピン１２２が圧入嵌合されて固定されている。
すなわち、本実施例のロッカージョイントピン型サイレントチェーン１００は、左右一対のガイドプレートとその間に並列配置したリンクプレート１１０とでチェーン幅方向に構成されているガイド列リンクと、リンクプレート１１０のみでチェーン幅方向に構成されている関節列リンクとがロッカージョイントピン１２０で指組み状にチェーン長手方向に交互に連結編成されている。
【００１５】
ここで、本実施例のロッカージョイントピン型サイレントチェーン１００で用いるリンクプレート１１０は、図２乃至図３に示されているように、前後一対の噛合い部に形成された外側フランクのみで噛み合って着座する、所謂、外股当たりの外股着座タイプのものを採用している。
【００１６】
そして、本実施例のロッカージョイントピン型サイレントチェーン１００では、図２に示すように、噛合い部の噛合い形状を異ならしめた２種類のリンクプレート１１０Ａ、１１０Ｂが採用され、図３に示すように、これら２種類のリンクプレート１１０Ａ、１１０Ｂがチェーン長手方向に不規則配置の一形態である交互に配置されている。
すなわち、リンクプレート１１０Ａは、外側に向けて曲線状に僅かに膨出形成された外側フランクを有し、他方のリンクプレート１１０Ｂは、直線状に形成された外側フランクを有しており、図２に示すように、それぞれの噛み合い位置における噛み合いピッチは、Ｐ１＞Ｐ２の大小関係になっている。
【００１７】
他方、本実施例のロッカージョイントピン型サイレントチェーン１００で用いるロッカージョイントピン１２０は、図３乃至図４に示すように、ピン厚みを大小異ならしめた２種類のロッカーピン１２１とジョイントピン１２２とで構成され、これら２種類のロッカーピン１２１とジョイントピン１２２がチェーン長手方向に隣合うリンクプレート１１０を貫通するピン孔１１２においてピン厚みの不規則な大小関係（ｔ１＞ｔ２）で配置されている。
なお、前記ジョイントピン１２２は、前述したようにガイドプレートに圧入嵌合されて固定するために、ロッカーピン１２１よりもピンの長さが長くなっている。
【００１８】
図４の（Ａ）、（Ｂ）、（Ｃ）は、図３のロッカージョイントピン型サイレントチェーン１００に存在するピン厚みを大小異ならしめた２種類のロッカーピン１２１とジョイントピン１２２との組み合わせパターンを示している。なお、図４における符号１１２Ａは、関節列リンクのピン孔を示し、符号１１２Ｂは、ガイド列リンクのピン孔を示している。また、図４における仮想線は、隣合うリンクプレート１１０毎のピン孔１１２Ａ、１１２Ｂの中心線を示している。
【００１９】
すなわち、図４の（Ａ）は、ピン厚みのともに大なるロッカーピン１２１とジョイントピン１２２とが存在する場合の、チェーン長手方向に隣合うリンクプレート１１０を貫通するピン孔１１２の重なり状態を実線で示している。
また、図４の（Ｂ）は、ピン厚みの小なるロッカーピン１２１とピン厚みの大なるジョイントピン１２２とが存在する場合の、チェーン長手方向に隣合うリンクプレート１１０を貫通するピン孔１１２の重なり状態を実線で示しており、見かけのピン孔が図４の（Ａ）に比較すると狭小になっている。
さらに、図４の（Ｃ）は、ピン厚みのともに小なるロッカーピン１２１とジョイントピン１２２とが存在する場合の、チェーン長手方向に隣合うリンクプレート１１０を貫通するピン孔１１２の重なり状態を実線で示しており、見かけのピン孔が図４の（Ａ）、（Ｂ）に比較すると最も狭小になっている。
【００２０】
ここで、図４の（Ａ）、（Ｂ）、（Ｃ）から、ピン厚みを大小異ならしめた２種類のロッカーピン１２１とジョイントピン１２２との組み合わせパターンに応じて、噛合いピッチが異なってくことが容易に理解できる。
【００２１】
このようにして得られた本実施例のロッカージョイントピン型サイレントチェーン１００では、噛合い部の噛合い形状を異ならしめた２種類のリンクプレート１１０Ａ、１１０Ｂがチェーン長手方向に不規則に配置されているとともに、ピン厚みを大小異ならしめた２種類のロッカーピン１２１とジョイントピン１２２をチェーン長手方向に隣合うリンクプレート１１０を貫通するピン孔１１２に不規則な大小関係で配置されていることによって、リンクプレート１１０に起因する２通りの配列パターンとロッカーピン１２１のピン厚みに起因する２通りの組み合わせパターンとジョイントピン１２２のピン厚みに起因する２通りの組み合わせパターンとがサイレントチェーンとして２×２×２からなる８通りの多様な噛合いピッチ（Ｐａ、Ｐｂ、Ｐｃ、Ｐｄ、・・・、Ｐｈ）、すなわち、噛合いタイミングを実現するため、一定の噛合いピッチを有するスプロケットＳの噛み合い時に生じがちな周期的な騒音を８通りにランダム化して低減することができる。
【００２２】
なお、上述した本実施例のロッカージョイントピン型サイレントチェーン１００で用いるリンクプレート１１０では、前後一対の噛合い部１１１に形成された外側フランクのみで噛み合って着座する、所謂、外股当たりの外股着座タイプのものを採用しているが、前後一対の噛合い部１１１に形成された内側フランクのみで噛み合って着座する、所謂、内股当たりの内股着座タイプのもの、あるいは、前後一対の噛合い部１１１に形成された内側フランクで噛み合って前後一対の噛合い部に形成された外側フランクで着座する、所謂、内股当たりの外股着座タイプのものの、いずれであっても良い。
【００２３】
また、上述した本実施例のロッカージョイントピン型サイレントチェーン１００で用いるリンクプレート１１０では、リンクプレート１１０に起因する２通りの配列パターンとロッカーピン１２１のピン厚みに起因する２通りの組み合わせパターンとジョイントピン１２２のピン厚みに起因する２通りの組み合わせパターンとがサイレントチェーンとして２×２×２からなる８通りの多様な噛合いピッチ、すなわち、噛合いタイミングを実現しているが、リンクプレート１１０に起因する配列パターンとロッカーピン１２１のピン厚みに起因する組み合わせパターンとジョイントピン１２２のピン厚みに起因する組み合わせパターンとを、例えば、リンクプレート１１０に起因する配列パターンを３通りに豊富化して構成した場合は、３×２×２からなる１２通りの極めて多様な噛合いピッチを実現し、また、ロッカーピン１２１のピン厚みに起因する組み合わせパターンとジョイントピン１２２のピン厚みを大中小の３通りに豊富化して構成した場合は、２×３×３からなる１８通りの極めて多様な噛合いピッチを実現するなど、一定の噛合いピッチを有するスプロケットＳの噛み合い時に生じがちな周期的な騒音を更に一段とランダム化して大幅に低減することができるなど、その効果は甚大である。
【図面の簡単な説明】
【００２４】
【図１】本実施例であるロッカージョイントピン型サイレントチェーンの使用態様図。
【図２】本実施例で用いたリンクプレートの拡大図。
【図３】図１のロッカージョイントピン型サイレントチェーンがスプロケットと噛み合う状態を拡大視した図。
【図４】ロッカーピンとジョイントピンとの組み合わせパターンを示す説明図。
【符号の説明】
【００２５】
１００    ・・・ロッカージョイントピン型サイレントチェーン
１１０    ・・・リンクプレート
１１１    ・・・噛合い部
１１２    ・・・ピン孔
１２０    ・・・ロッカージョイントピン
１２１    ・・・ロッカーピン
１２２    ・・・ジョイントピン
Ｓ      ・・・スプロケット
Ｐ１、Ｐ２・・・噛み合いピッチ
ｔ１，ｔ２・・・ピン厚み
【図１】
2009127648.tif 000003
【図２】
2009127648.tif 000004
【図３】
2009127648.tif 000005
【図４】
2009127648.tif 000006